(57)【要約】【課題】表示装置が設置された場所で、その場所の表示装置が必要とする表示コンテンツを選択して表示する表示装置提供する。【解決手段】表示コンテンツ情報と、前記表示コンテンツ情報の内容情報、利用者情報または設置場所情報の少なくとも1つを含む識別情報からなるデジタル表示データを取得する表示データ取得部と、放送映像データを取得する放送データ取得部と、前記識別情報を解析して、前記表示コンテンツ情報が表示可能かどうか判断する識別情報解析部と、前記識別情報解析部が表示可能であると判断した場合は、前記放送映像データと表示コンテンツ情報を合成して表示部に表示させ、表示可能でないと判断した場合は、前記放送映像データを表示部に表示させるよう処理する映像データ処理部とを備えることを特徴とする。【選択図】図１
2010141579.tif 000002
【特許請求の範囲】
【請求項１】
表示コンテンツ情報と、前記表示コンテンツ情報の内容情報、利用者情報または設置場所情報の少なくとも１つを含む識別情報からなるデジタル表示データを取得する表示データ取得部と、
放送映像データを取得する放送データ取得部と、
前記識別情報を解析して、前記表示コンテンツ情報が表示可能かどうか判断する識別情報解析部と、
前記識別情報解析部が表示可能であると判断した場合は、前記放送映像データと表示コンテンツ情報を合成して表示部に表示させ、表示可能でないと判断した場合は、前記放送映像データを表示部に表示させるよう処理する映像データ処理部と
を備えることを特徴とする表示装置。
【請求項２】
前記識別情報解析部は、表示装置が設置された設置場所情報、業種情報、表示内容情報の少なくとも１つを記憶し、前記識別情報と比較して前記表示コンテンツ情報が利用可能かどうか判断する請求項１に記載の表示装置。
【請求項３】
前記デジタル表示データの取得経路と、前記放送映像データの取得経路が異なる請求項１に記載の表示装置。
【請求項４】
表示コンテンツ情報と、前記表示コンテンツ情報の内容情報、利用者情報または設置場所情報の少なくとも１つを含む識別情報からなるデジタル表示データを取得する表示データ取得ステップと、
放送映像データを取得する放送データ取得ステップと、
前記識別情報を解析して、前記表示コンテンツ情報が表示可能かどうか判断する識別情報解析ステップと、
前記識別情報解析ステップで、表示可能であると判断した場合は、前記放送映像データと表示コンテンツ情報を合成して表示部に表示させ、表示可能でないと判断した場合は、前記放送映像データを表示部に表示させるよう処理する映像データ処理ステップと
を備えることを特徴とする表示方法。
【発明の詳細な説明】
【技術分野】
【０００１】
本発明は、デジタル表示データおよび放送映像データを取得して表示する表示装置および表示方法に関し、特に構内や地域内で前記デジタル表示データと前記放送映像データを取得して、合成し表示する表示装置および表示方法に関する。
【背景技術】
【０００２】
テレビジョン放送は、放送番組と、番組を提供するスポンサーなどの広告や宣伝を放送する。従って、受信機でテレビジョン放送を受信すると、放送番組と広告や宣伝が表示される。
しかし、広告や宣伝は見たくない場合がある。特許文献１は、見たくないコマーシャルを表示しないようにする技術を開示している。即ち、特許文献１は、テレビジョン放送信号に、番組データおよびコマーシャルデータの外にコマーシャルのＩＤ情報を組み込んで放送し、受信機には見たくないコマーシャルのＩＤを登録しておく。そして、受信機がテレビジョン放送に上記コマーシャルのＩＤ情報を検出したとき、コマーシャルを表示しないようにして、テレビジョン番組に代えて、擬似データを表示するものである。
また特許文献２は、主番組情報は表示画面に縮小して表示し、コマーシャル情報は空き領域に表示することにより、主番組を中断することなく表示すると共に、コマーシャルは小さく表示するものである。
【特許文献１】特開２００２−９４８９１号公報
【特許文献１】特開昭６０−１５８７７４号公報
【発明の開示】
【発明が解決しようとする課題】
【０００３】
特許文献１及び２は、テレビジョン放送の受信装置に関するものであり、特許文献１は受信装置によってコマーシャル放送を表示するかを決定し、特許文献２は主番組を小画面に表示するものである。
近年、会社内、ビル内のような構内や地域内に有線または無線ＬＡＮが設置され、ＬＡＮを使用して、またはインターネットを使用して構内や地域内に案内情報、連絡情報または注意情報またはスポンサーの広告、宣伝が放送される。構内や地域内の案内情報、連絡情報または注意情報またはスポンサーの広告、宣伝は、その表示場所に相応しいものを選択しないと、無用な案内情報、連絡情報または注意情報や広告および宣伝が表示される。しかし、従来技術では、テレビジョン放送に識別情報を組み込んで放送するものであるから、構内や地域内を狭く限定した識別情報を制作することが困難であった。即ち、構内や地域内を狭く限定して、放送するためにはテレビジョン放送と、構内や地域内の案内情報、連絡情報または注意情報や広告、宣伝を制作する側が構内や地域内を狭く限定するような情報を埋め込まなければならなかった。
本発明は、上記問題を解決するため、表示装置が設置された場所で、その場所の表示装置が必要とする表示コンテンツを選択して表示する表示装置および表示方法を提供することを目的とする。
【課題を解決するための手段】
【０００４】
上記課題を解決するため、本発明の表示装置は、表示コンテンツ情報と、前記表示コンテンツ情報の内容情報、利用者情報または設置場所情報の少なくとも１つを含む識別情報からなるデジタル表示データを取得する表示データ取得部と、放送映像データを取得する放送データ取得部と、前記識別情報を解析して、前記表示コンテンツ情報が表示可能かどうか判断する識別情報解析部と、前記識別情報解析部が表示可能であると判断した場合は、前記放送映像データと表示コンテンツ情報を合成して表示部に表示させ、表示可能でないと判断した場合は、前記放送映像データを表示部に表示させるよう処理する映像データ処理部とを備えることを特徴とする。
【０００５】
本発明の表示装置は、例えば、百貨店、スーパー、会社、ホテル、病院、駅、空港、映画館、コンサートホール、電気店、大学など、または地域内の街中や各家庭に設置され、更に、これらの場所においても出入り口付近、各階、各要所、非常口や避難通路付近、交差点付近など、または各部屋などに多数設置される。従って、表示装置は、デジタル表示データと放送映像データを受信し、常時は放送番組を表示し、必要に応じてデジタル表示データを選択して、表示装置を設置した場所に相応しい案内情報、連絡情報または注意情報や広告、宣伝などを表示する。
上記デジタル表示データに含まれる表示コンテンツには、案内情報、連絡情報または注意情報や広告、宣伝などがあり、本発明は上記のようにさまざまな場所に設置される表示装置に相応しい案内情報、連絡情報または注意情報や広告、宣伝などを表示装置側で選択するものである。
そのため、データ配信装置は、表示コンテンツ情報を制作するとともに、前記表示コンテンツ情報の内容情報、利用者情報または設置場所情報の少なくとも１つを含む識別情報を制作し、上記表示コンテンツ情報と識別情報をあわせたデジタル表示データを提供する。または上記デジタル表示データを記憶装置に記憶し、それを提供する。そして、表示装置は、識別情報解析部を備え、表示装置が設置された設置場所情報、利用者情報、表示内容情報の少なくとも１つを記憶し、前記識別情報と比較して前記表示コンテンツ情報が利用可能かどうか判断するものである。
【０００６】
また、本発明は、上記課題を解決するため、別の観点によれば、表示方法であり、表示コンテンツ情報と、前記表示コンテンツ情報の内容情報、利用者情報または設置場所情報のすくなくとも１つを含む識別情報からなるデジタル表示データを取得する表示データ取得ステップと、放送映像データを取得する放送データ取得ステップと、前記識別情報を解析して、前記表示コンテンツ情報が表示可能かどうか判断する識別情報解析ステップと、前記識別情報解析ステップで、表示可能であると判断した場合は、前記放送映像データと表示コンテンツ情報を合成して表示部に表示させ、表示可能でないと判断した場合は、前記放送映像データを表示部に表示させるよう処理する映像データ処理ステップとを備えることを特徴とする。
【発明の効果】
【０００７】
本発明の表示装置によれば、表示装置が設置された場所で、その場所の表示装置が必要とする表示コンテンツを選択して表示することができる。また、そのような表示方法を実現できる。
【発明を実施するための最良の形態】
【０００８】
図１は、本発明の表示装置１のブロック図を示す。
本発明の表示装置は、例えば、百貨店、スーパー、会社、ホテル、病院、駅、空港、映画館、コンサートホール、電気店、大学など、または地域内の街中や各家庭に設置され、更に、これらの場所においても出入り口付近、各階、各要所、非常口や避難通路付近、交差点付近など、または各部屋などに多数設置される。表示装置は、全てが同じ規格である必要はなく、後述のような機能を備えればよい。
【０００９】
従って、例えば、表示装置が百貨店やスーパー出入口付近に設置される場合、催事案内情報、各階の売場案内情報または新製品の広告、宣伝を表示し、表示装置が各階のエスカレータ、エレベータまたは階段付近に設置される場合、その階の売場案内情報または製品の広告、宣伝を表示し、更に表示装置が売場近傍に設置される場合、その売場の新商品や特価商品の案内情報、タイムサービスまたはＰＯＰ表示、広告、宣伝を表示する。また、表示装置が非常口や避難通路の近くに設置される場合、非常口への案内、または注意情報を表示する。
【００１０】
また、表示装置が会社ロビーに設置される場合、会社の業務案内、各部門の担当業務、各部門の位置、各部門の電話番号、営業時間の案内情報を表示し、各部門の近くに設置される表示装置は担当者名、電話番号等の案内情報または注意情報を表示する。
また、表示装置がホテルロビーに設置される場合、客室、宴会場、みやげ物店、レストラン、結婚式場や浴室の道案内と営業時間情報を表示し、表示装置がホテルの廊下に設置される場合、客室の案内、非常口の案内、避難通路の案内などの案内情報を表示する。
また、表示装置が病院の出入り口付近に設置される場合、病院内の診療科目および診察時間などの案内情報を表示し、各診療科目の受付付近または待合付近の表示装置は担当医者名や待ち時間のような案内情報、連絡情報または受診の際の注意事項を表示する。
また、表示装置が駅構内や空港内の出入り口付近に設置される場合、駅構内や空港内の案内地図情報、連絡情報または注意情報を表示し、プラットホームや搭乗口付近に設置される表示装置は電車や飛行機の時刻表や行き先または出発地の案内情報、連絡情報または注意情報を表示し、先発電車や先発飛行機の出発時刻及び次発電車や次発飛行機の出発時刻のような案内情報、連絡情報または注意情報を表示する。
【００１１】
また、表示装置が映画館ロビーに設置される場合、上映映画の予告案内、各映画の上映時間と上映場の案内や空席状況、次週上映映画の宣伝などの案内情報、注意情報を表示する。
また、表示装置がコンサートホールのロビーに設置される場合、演奏タイトル、出演者名、会場名、演奏時間、空席状況などの案内情報、注意情報を表示する。また次回公演の案内情報を表示する。
また、表示装置が電機製品の販売店に設置される場合、また製品の展示付近に設置される場合、競合メーカの広告、宣伝は表示しないようにする。
また、表示装置が大学の入口付近に設置される場合、校内の案内地図や各講座の案内情報を表示し、表示装置が教室の前に設置される場合、講座名、教授名、講座時間などの案内情報または注意情報を表示する。
【００１２】
また、表示装置が街中に設置される場合、例えば街の拡大地図または縮小地図情報を表示し、飲食店、ホテル、理容美容室、或いは各種施設の位置情報を表示し、また各店や各種施設への道案内又は電話番号の案内情報を表示し、各種施設の利用時間の案内情報を表示し、または街頭ポスターとして公告や宣伝を表示する。
また、表示装置が家庭のリビングに設置される場合、家族の趣味や嗜好に合った情報を表示し、各部屋に設置される場合は、部屋の住人の年齢、性別、趣味に合った情報を表示する。
【００１３】
表示装置１を構成するデータ配信取得装置２００は、データ配信送信装置１００と有線または無線ＬＡＮまたはインターネットのような有線または無線通信路により接続され、データ配信送信装置１００よりデジタル表示データａを受信する。ここでは、データ配信装置１００は、有線または無線通信路により接続される例を示しているが、デジタル表示データをハードディスクドライブ（ＨＤＤ）に記憶しておき、表示装置１が取得可能にしてもよい。本発明は、データ配信取得装置２００からデジタル表示データを受信する場合、及び記憶装置からデジタル表示データを取得する場合を含めて、デジタル表示データを取得すると、称している。図１はデータ配信取得装置２００を１つしか示していないが、このようなデータ配信取得装置２００は、上記のように、例えば、百貨店、スーパー、会社、ホテル、病院、駅、空港、映画館、コンサートホール、電気店、大学など、または地域内の街中や各家庭に設置され、更に、これらの場所においても出入り口付近、各階、各要所、非常口や避難通路付近、交差点付近など、または各部屋などに多数設置される。
【００１４】
デジタル受信データａには、表示コンテンツ情報と識別情報を含む。表示コンテンツ情報は、データ配信取得装置２００が配置される構内または地域内で必要とされる案内情報、連絡情報または注意情報や広告、宣伝などである。識別情報は、データ配信取得装置２００が設置された場所で必要となる表示コンテンツを識別することが可能な情報である。例えば表示コンテンツ内容を表す識別情報、場所や地域を特定する識別情報、業種を分類する識別情報、表示時間を特定する識別情報、表示コンテンツを必要とする性別（男性または女性）を特定する識別情報、表示コンテンツを必要とする年齢を特定する識別情報などである。
【００１５】
データ配信取得装置２００は、デジタル表示データａを受信し、当該データ配信取得装置２００が必要とする表示コンテンツのみを表示し、必要でない表示コンテンツは表示しないようにするため、データ受信部２１０と、放送データ受信部２２０と、データ解析処理部２３０と、映像データ合成処理部２４０と、表示部２５０と、受信データ保持メモリ２６０を備える。この外に、上記各部分を制御するＣＰＵ（図示しない）を備え、また本発明のデータ配信取得装置２００を順次動作させるプログラムを記憶部（図示しない）に記憶している。
また、図示しないが、データ配信取得装置２００に各種設定するため、または操作するため、パソコンが接続される。パソコンはデータ配信取得装置２００に外部接続してもよいが、データ配信取得装置２００と一体的に組合せてもよい。
データ配信取得装置２００は、少なくともデータ受信部２１０と、放送データ受信部２２０と、データ解析処理部２３０と、映像データ合成処理部２４０と、表示部２５０と、受信データ保持メモリ２６０、ＣＰＵ、プログラム記憶部を備えれば、その外にどのような構成があってもかまわない。
【００１６】
上記データ受信部２１０は、データ配信送信装置１００からデジタル表示データａを受信し、受信したデジタル表示データａを受信データ保持メモリ２６０に転送し、保存する。またデータ受信部２１０はデータ解析処理部２３０にデータ解析指示ｂを出力し、データを解析させる。
放送データ受信部２２０は、放送データ提供装置２０より、ケーブルのような有線または無線により、放送波ｃを受信して、放送映像データｄを映像データ合成処理部２４０に送る。放送データ提供装置２０は、複数のチャンネルを有し、複数の番組を送信するので、放送データ受信部２２０は、チャンネルを選択し、所望の番組を見ることができる。図1の例は、通信路１０５と放送波ｃは別系統であるとして示しているが、これら2つの通信経路は、1つの無線または有線経路であってもかまわない。
データ解析処理部２３０は、データ受信部２１０から受けたデータ解析指示ｂに従い、受信データ保持メモリ２６０に格納されたデジタル表示データａの解析を行う。解析後、データ解析処理部２３０は合成指示ｅによって、映像データ合成処理部２４０を表示コンテンツｆを表示または非表示に制御する。また合成指示ｅによって、表示コンテンツｆの表示位置を算出するよう映像データ合成処理部２４０を制御する。
【００１７】
上記データ解析処理部２３０は、デジタル表示データａを解析するため、表示装置属性記憶部２３１を備える。表示装置属性記憶部２３１は、データ配信取得装置２００が設置された場所に相応しいデジタル表示データａを選択するため、表示装置が設置された設置場所情報（地域名情報を含めてもよい。）、業種情報、表示内容情報を記憶する。
例えば、表示装置が百貨店やスーパー出入口付近に設置される場合、催事案内情報、各階の売場案内情報または新製品の広告、宣伝を選択する属性情報であり、表示装置が各階のエスカレータ、エレベータまたは階段付近に設置される場合、その階の売場案内情報または製品の広告、宣伝を選択する属性情報であり、更に表示装置が売場近傍に設置される場合、その売場の新商品や特価商品の案内情報、タイムサービスまたはＰＯＰ表示、広告、宣伝を選択する属性情報である。また、表示装置が非常口や避難通路の近くに設置される場合、非常口への案内、または注意情報を選択する属性情報である。
【００１８】
また、表示装置が会社ロビーに設置される場合、会社の業務案内、各部門の担当業務、各部門の位置、各部門の電話番号、営業時間の案内情報を選択する属性情報であり、各部門の近くに設置される表示装置は担当者名、電話番号等の案内情報または注意情報を選択する属性情報である。
また、表示装置がホテルロビーに設置される場合、客室、宴会場、みやげ物店、レストラン、結婚式場や浴室の道案内と営業時間情報を選択する属性情報であり、表示装置がホテルの廊下に設置される場合、客室の案内、非常口の案内、避難通路の案内などの案内情報を選択する属性情報である。
また、表示装置が病院の出入り口付近に設置される場合、病院内の診療科目および診察時間などの案内情報を選択する属性情報であり、各診療科目の受付付近または待合付近の表示装置は担当医者名や待ち時間のような案内情報、連絡情報または受診の際の注意事項を選択する属性情報である。
また、表示装置が駅構内や空港内の出入り口付近に設置される場合、駅構内や空港内の案内地図情報、連絡情報または注意情報を選択する属性情報であり、プラットホームや搭乗口付近に設置される表示装置は電車や飛行機の時刻表や行き先または出発地の案内情報、連絡情報または注意情報を選択する属性情報であり、先発電車や先発飛行機の出発時刻及び次発電車や次発飛行機の出発時刻のような案内情報、連絡情報または注意情報を選択する属性情報である。
【００１９】
表示装置が映画館ロビーに設置される場合、上映映画の予告案内、各映画の上映時間と上映場の案内や空席状況、次週上映映画の宣伝などの案内情報、注意情報を選択する属性情報である。
表示装置がコンサートホールのロビーに設置される場合、演奏タイトル、出演者名、会場名、演奏時間、空席状況などの案内情報、注意情報を表示する。また次回公演の案内情報を選択する属性情報である。
表示装置が電機製品の販売店に設置される場合、また製品の展示付近に設置される場合、競合メーカの広告、宣伝は選択しない属性情報である。
表示装置が大学の入口付近に設置される場合、校内の案内地図や各講座の案内情報を選択する属性情報であり、表示装置が教室の前に設置される場合、講座名、教授名、講座時間などの案内情報または注意情報を選択する属性情報である。
また、表示装置が街中に設置される場合、例えば街の拡大地図または縮小地図情報を表示し、飲食店、ホテル、理容美容室、或いは各種施設の位置情報を選択する属性情報であり、また各店や各種施設への道案内又は電話番号の案内情報を選択する属性情報であり、各種施設の利用時間の案内情報を表示し、または街頭ポスターとして公告や宣伝を選択する属性情報である。
また、表示装置が家庭のリビングに設置される場合、家族の趣味や嗜好を選択する属性情報であり、各部屋に設置される場合は、部屋の住人の年齢、性別、趣味を選択する属性情報などである。
【００２０】
映像データ合成処理部２４０は、データ解析処理部２３０からの合成指示ｅが表示コンテンツｆを表示するように選択した場合は、放送映像データｄと表示コンテンツｆを合成し、合成映像データｇを表示部２５０に送る。この場合に、表示コンテンツｆの表示領域も指示される。しかし、合成指示ｅが表示コンテンツｆを表示しないように選択した場合は、放送映像データｄだけが合成映像データｇとして、表示部２５０に送られる。
【００２１】
表示部２５０は、代表的には液晶表示装置であるが、プラズマ表示装置、有機ＥＬ表示装置、ＣＲＴなどであってもよい。表示部２５０は、４：３または１６：９のような表示画面を有する。表示部２５０が表示する合成映像データｇは、図２（ｂ）に示すように、放送映像データｄを表示している期間Ｔ１と、放送映像データｄと表示コンテンツｆを合成した合成映像データｇを表示している期間Ｔ２と、その後、放送映像データｄを表示している期間Ｔ３に分かれる。合成映像データｇを表示している期間Ｔ２は、受信したデジタル表示データの属性を確認し、そのデータを表示する必要があると判断した場合、自動的に放送領域が縮小され、その空き領域が形成される周りの領域にデジタル表示データが表示されえる。
そして、放送映像データｄを表示している期間Ｔ１およびＴ３は、図２（ａ）に示すように、表示画面全面に放送映像データｂが表示される。一方、合成映像データｇを表示している期間Ｔ２は、図２（ａ）に示すように、表示画面は放送映像データｄを表示する領域Ｐ１と、表示コンテンツｆを表示する領域Ｐ２に分割される。この分割の位置及び大きさはデジタル表示データｂに含まれる表示領域情報に従い、またはデータ解析処理部２３０によって処理された表示領域情報に従う。
また、図３に示すように、当該表示装置がデジタル映像データを表示しないと判断した場合は、合成映像データｇを表示する期間Ｔ２がなくなり、放送映像データｄを表示している期間Ｔ１だけとなる。即ち、デジタル表示データａを受信したときｔ１、デジタル表示データａを表示しないと判断したので、放送映像データｄが引き続き表示される。
【００２２】
図４は、放送映像データｄと、デジタル表示データａに含まれる表示コンテンツｆを合成して合成映像データｇを生成する説明図である。
放送映像データｄは、チューナ２２１で受信され、デコーダ２２２で放送映像データｄをデジタル化して放送映像メモリ２２３に書き込まれる。上記チューナ２２１、デコーダ２２２、放送映像メモリ２２３は、放送データ受信部２２０内に構成される部分である。
【００２３】
一方、デジタル表示データａは、受信データ保持メモリ２６０内にあるデータ展開処理メモリ２６１〜２６ｎにデータ展開され、タスク１〜タスクｎとして保存される。ここではタスク１はＪＰＧに展開され、タスク２はビットマップに展開され、タスクｋはＭＰＥＧに展開されるとする。そして、各デジタル映像データ１〜ｋはそれぞれデータ展開メモリ２６９にデータ展開される。このデータ展開する場合、それぞれの表示領域および大きさと、表示時間が決定される。図４に示すように、タスク１はデータ展開メモリ２６９の下辺部に配置され、タスク２はデータ展開メモリ２６９の右側に配置され、タスクｋはデータ展開メモリ２６９の右側より少し中央寄りに配置される。ここで、タスクｋは表示されないので、データ展開メモリ２６９上に展開されない。これを図４では、点線で表している。
【００２４】
そして、放送映像メモリ２２３の放送映像データｄと、データ展開メモリ２６９のタスク１〜ｋが、ビットマップメモリよりなるスケーラー２４１上で合成され、合成映像データｇが表示部２５０に送られる。このように、ビットマップメモリよりなるスケーラー２４１上で合成することにより、合成映像データｇの拡大または縮小処理が可能となり、４；３または１６：９のような表示画面サイズに合わせることができる。
【００２５】
図５は、合成映像データｇのデータフォーマット図である。
図５に示すように、合成映像データｇは、属性領域Ａと、放送映像データｂの表示領域Ｂと、表示コンテンツ１のデータサイズと表示時間と、表示データ及び音声データの領域Ｃと、表示コンテンツＮのデータサイズと表示時間と、表示データ及び音声データの領域Ｙと、終了指示領域Ｚとからなる。
属性領域Ａは、表示コンテンツ１〜Ｎの属性を格納し、図５（ｂ）に示すように、該当グループＩＤとして、１〜３２があり、デジタル表示データを有効とする該当グループＩＤのところを「１」に設定し、有効としないものは「０」とする。該当グループＩＤを「１」とするか「１」とするかは、識別情報によって、当該表示装置が設置される場所に応じて、設定される。ここでは、属性領域Ａは、表示コンテンツ１〜Ｎの属性を格納し、表示コンテンツ１〜Ｎを一度に送信する場合を示しているが、表示コンテンツ１〜Ｎにそれぞれ属性領域を形成し、各表示コンテンツに分けてデジタル表示データを送信してもよい。
【００２６】
このような識別情報はデータ配信送信装置１００で制作され、データ配信取得装置２００は必要な識別情報を「１」に設定する。ここでは、データ配信送信装置１００で識別情報を制作する例を示しているが、ＨＤＤのような記憶装置にデジタル表示データを記憶しておく場合は、予め識別情報を制作して記憶しておくとよい。
データ配信送信装置１００で制作する識別情報としては、次のようなものがある。
（１）都道府県、市町村、など地域名情報
（２）例えば、出入口付近、ロビー、エスカレータ、エレベータまたは階段付近、売場      近傍、廊下、受付付近または待合付近、リビングや部屋など設置場所情報
なお、この発明では、設置場所情報は、上記地域名情報を含めて言ういうことも      ある。
（３）例えば、百貨店、スーパー、会社、ホテル、病院、駅、空港、映画館、コンサー      トホール、電気店、大学、など業種情報
【００２７】
（４）百貨店、スーパーのために、催事案内情報、各階の売場案内情報または新製品の広告、宣伝、タイムサービスまたはＰＯＰ表示、会社のために、会社の業務案内、各部門の担当業務、各部門の位置、各部門の電話番号、営業時間の案内情報または注意情報、ホテルのために、客室、宴会場、みやげ物店、レストラン、結婚式場や浴室の道案内と営業時間情報、客室の案内、非常口の案内、避難通路の案内などの案内情報、病院のために、診療科目および診察時間などの案内情報、各診療科の担当医者名や待ち時間のような案内情報、連絡情報または受診の際の注意事項、駅や空港のために、駅構内や空港内の案内地図情報、連絡情報または注意情報、電車や飛行機の時刻表や行き先または出発地の案内情報、連絡情報または注意情報、先発電車や先発飛行機の出発時刻及び次発電車や次発飛行機の出発時刻のような案内情報、連絡情報または注意情報、映画館のために、上映映画の予告案内、各映画の上映時間と上映場の案内や空席状況、次週上映映画の宣伝などの案内情報、注意情報、コンサートホールのために、演奏タイトル、出演者名、会場名、演奏時間、空席状況などの案内情報、注意情報、次回公演の案内情報、電機製品の販売店のために、競合メーカの広告、宣伝、大学のために、校内の案内地図や各講座の案内情報、講座名、教授名、講座時間などの案内情報または注意情報、街中に設置されるために、街の拡大地図または縮小地図情報、飲食店、ホテル、理容美容室、或いは各種施設の位置情報、また各店や各種施設への道案内又は電話番号の案内情報、各種施設の利用時間の案内情報、または街頭ポスターとして公告や宣伝など表示内容情報、また家庭のリビングに設置されるために、家族の趣味や嗜好であり、各部屋に設置されるために、部屋の住人の年齢、性別、趣味などの利用者情報（なお、案内情報、連絡情報及び注意情報は内容情報として、また時間情報は別の属性に分類してもよい。）
【００２８】
図５(ｃ)は、放送映像データｄの表示領域Ｂと、表示コンテンツ１〜Ｎの表示領域Ｃ〜Ｙの座標データを示す。前半は表示領域の開始位置（指定位置）を示すＸＹ座標であり、後半は最大値である。より具体的には、図５（ｄ）に示すように、最大値が数値データで入力される。この図５（ｃ）の表示画面は、フルＨＤまたはハイビジョン規格であるので、Ｘ軸が１９２０、Ｙ軸が１０８０である。この表示画面の中央点は、Ｘ軸が８６０、Ｙ軸が５４０となる。図５（ｄ）は、表示画面を百分率で指定する場合を示し、最大値はそれぞれ１００、中央点はそれぞれ５０である。  このように、放送映像データの表示領域および表示コンテンツの表示領域を開始位置のＸＹ座標、最大値で表すことにより、または百分率で指定することにより、データ配信取得装置２００の表示画面が４：３または１６：９のように画面形状が異なる場合でもデータ配信取得装置２００によって、放送映像データまたは表示コンテンツの表示領域の位置及び大きさを設定することが可能になる。
【００２９】
図６は図５に示した表示コンテンツ１〜Ｎを詳細に説明するデータフォーマットである。
図６に示すように、表示コンテンツ１〜Ｎのデータフォーマットは、データ識別子（１）と、データサイズ（２）と、表示データ(３)とからなる。上記データ識別子（１）は、例えばＪＰＧ、ＭＰＧ、ＢＭＰなど表示データ種別を示す識別子である。データサイズ（２）は、後に続く表示データのトータルサイズを示す。表示データ（３）は、表示コンテンツを表すデジタル表示データである。表示データには動画または静止画があり、表示データとともに音声データがある場合には、その音声データも含む。
【００３０】
図７は、表示部２５０の表示画面を示し、表示画面の幅はPanel_W、高さはPanel_Hである。表示画面の開始位置はＸＹ座標（０，０）であり、終了位置はＸＹ座標( Panel_ex,Panel_ey )である。また放送表示データｄおよび表示コンテンツｆの表示幅はDisp_W、高さはDisp_Hである。放送表示データｄおよび表示コンテンツｆの開始位置はＸＹ座標( Disp_sx,Disp_sy)であり、終了位置はＸＹ座標( Disp_ex,Disp_ey)である。したがって、これら座標を指定することにより、放送表示データｄまたは表示コンテンツｆの表示画面の位置、大きさを決定することができる。
【００３１】
以上説明したような動作は、以下に説明するフローによって実現される。以下のフローは、ＣＰＵが記憶部に記憶したプログラムを読出し、順次動作させることにより実施される。
図８は、データ配信送信装置１００からデジタル表示データａを受信する場合に、データ配信取得装置２００のデータ受信部２１０のフローチャートを示す。
データ配信取得装置２００が動作を開始すると、ステップＳ１で、データ受信部２１０がデジタル表示データａを受信したか否か判断する。ＮＯであれば、最初に戻り、この動作を繰り返して、デジタル表示データの受信を待つ。ＹＥＳの場合、デジタル表示データａを受信データ保持メモリ２６０に格納する。次に、ステップＳ３では、受信完了したかどうか判断する。受信完了でなければ、ステップＳ１に戻り、受信を継続する。受信完了の場合は、ステップＳ４に移行し、データ解析処理を行い、このフローを終了し、ステップＳ１に戻る。データ解析処理は、図９により詳細説明する。
【００３２】
図９はデータ解析処理部２３０のフローチャートを示す。
前記ステップＳ４により、データ解析処理部２３０がデータ解析指示ｂを受けると、ステップＳ１１で、デジタル表示データの属性判断をする。このデジタル表示データの属性判断については、図１０で詳細説明する。次にステップＳ１２では、属性判断の結果、デジタル表示データを表示するか否か判断する。属性判断の結果が表示すると判断した場合（ＹＥＳ），ステップＳ１３に移行し、映像データ合成処理部３４０をリセットする。このリセット処理については、図１１を用いて後述する。次に、ステップＳ１４では、放送映像データｄの表示領域を取り出し、図５に示したように先頭位置のＸＹ座標と、終了位置のＸＹ座標をセットする。例えば、次の通りであり、表示画面全面をセットする。
【００３３】
Disp_sx ← TVSX.POS*Panel_W/TVSX.MAX
Disp_sy ← TVSY.POS*Panel_H/TVSY.MAX
Disp_ex ← TVEX.POS*Panel_W/TVEX.MAX
Disp_ey ← TVEY.POS*Panel_H/TVEY.MAX
次に、ステップＳ１５では、データ解析処理部２３０のカウンタｋに１を入れ、次のステップＳ１６でｋ番目の表示コンテンツｆかどうか判断する。ｋ番目のデータである場合はステップＳ１７へ進み、ｋ番目の表示コンテンツｆの情報をセットするため、表示領域を設定する処理と、ｋ番目の表示コンテンツｆのアドレスをセットする処理を行う。
【００３４】
表示領域を設定する処理は、例えば、次の通りである。
DATA_sx[k] ← CSXk.POS*Panel_W/CSXk.MAX
DATA_sy[k] ← CSYk.POS*Panel_H/CSYk.MAX
DATA_ex[k] ← CEXk.POS*Panel_W/CEXk.MAX
DATA_ey[k] ← CEYk.POS*Panel_H/CSEk.MAX
ｋ番目の表示コンテンツｆのアドレスおよび表示時間をセットする処理は、例えば、次の通りである。
DATA_adrs[k] ←検索したｋ番目の表示コンテンツｆのアドレス
Time[k] ← 検索したｋ番目の表示コンテンツｆの表示時間
【００３５】
次のステップＳ１８は、ｋ番目の表示コンテンツｆのデータ展開処理を指示する。即ち、表示する表示コンテンツの個数をｋにする（DATA_count ← k）。そして、ステップＳ１９では、カウンタｋを１つ繰り上げる処理（つまり、（ｋ＝ｋ＋１））をする。その後、ステップＳ１６に戻り、ステップＳ１６〜１９のフローを繰り返す。
【００３６】
上記ステップＳ１２で、デジタル表示データａを表示しない判断した場合（ＮＯ）、ステップＳ２０に移行する。ステップＳ２０では、映像データ合成処理部２４０をリセットする。このリセット処理は、ステップＳ１３と同様であるので、図１１を用いて後述する。次に、ステップＳ２１では、表示装置の画面全領域を放送映像データｄの表示領域とする処理を行う。即ち、次の通りである。
Disp_sx ← 0            Disp_sy ← 0
Disp_ex ← Panel_W - 1  Disp_ey ← Panel_H - 1
Disp_W  ← Panel_W      Disp_H ← Panel_H
次に、ステップＳ２２では、デジタル表示データａを表示しない処理を行う。そして、ステップＳ２３で、表示装置２５０の表示処理を行い、このフローを終了する。ステップＳ２３の表示装置２５０の表示処理は、図１２で説明する。
なお、上記ステップＳ１６において、ｋ番目のデータかない場合、ステップＳ２３へ移行する。
【００３７】
図１０は、上記ステップＳ１１のデータの属性判断を詳細説明するフローチャートであり、データ解析処理部２３０内で実施されるフローチャートを示す。
まず、最初のステップＳ３１では、表示装置属性記憶部２３１のメモリＡに、当該データ配信取得装置２００の属性を格納する。つまり、上記（１）地域名情報、（２）設置場所情報、（３）業種情報、（４）利用者情報（なお、案内情報、連絡情報及び注意情報は内容情報として、また時間情報は別の属性に分類してもよい。）より、当該データ配信取得装置２００において、表示する表示コンテンツを選択するための属性情報を選択して記憶する。或いは、属性情報をパソコンより入力して記憶するようにしてもよい。
【００３８】
ステップＳ３２は、デジタル表示データａに含まれる先頭属性データ（図５（ｂ）に示した属性）をデータ解析処理部２３０のメモリＢに格納する。ステップＳ３３では、メモリＡとメモリＢのＡＮＤを取る。次に、ステップＳ３４では、ステップＳ３３の結果が０か否か判断し、０でなければ、ステップＳ３５で、デジタル表示データａは当該データ配信取得装置２００で表示必要となる。しかし、０のときはステップＳ３６で、当該データ配信取得装置２００で表示しないので、このフローを終了する。
【００３９】
図１１は、上記ステップＳ１３およびステップＳ２０の映像データ合成処理部２４０のリセット処理を詳細説明するフローチャートである。
ステップＳ４１は、表示装置２５０の表示を停止する処理である。ステップＳ４２は、図４に示した放送映像メモリ２２３と、データ展開メモリス２６９をクリアする処理である。テップＳ４３は、データのカウント個数だけデータ展開処理部２６１〜２６ｎに展開されたデータ展開を削除する処理である。次にステップＳ４４は、データカウントを０にする処理であり、その後、このフローを終了する。
【００４０】
図１２は、図９で説明したステップＳ２３の表示処理を詳細説明するフローチャートである。
まず、ステップＳ５１で、現在時刻を表示装置２５０のＳｔｉｍｅにセットする。次にステップＳ５２で、映像データ合成処理を行う。この映像データ合成処理は図１３により後述する。次のステップＳ５３では、現在時刻をＣｔｉｍｅにセットする。ステップＳ５４では、カウンタの初期化を行う。つまり、カウンタｋを１にし、カウンタｄｋを０にする。次のステップＳ５５では、カウンタｋは、ＤＡＴＡカウンタより大きいかどうか判断する。大きい場合（ＹＥＳ）は、ステップＳ５６に移行し、小さい場合（ＮＯ）はステップＳ６１に移行する。
【００４１】
ステップＳ５６では、カウンタｄｋが０かどうか判断する。０でない場合（ＮＯ）は表示データがあるので、ステップＳ５３に戻る。カウンタｄｋが０の場合（ＹＥＳ）は、表示データがないので、ステップＳ５７で、映像データ合成処理部２４０をリセットする。この映像データ合成処理部２４０のリセット処理は図１１で説明した通りである。次のステップＳ５８では、放送映像のみの表示に戻す処理を実施する。即ち次のような処理を行う。
Disp_sx ← 0
Disp_sy ← 0
Disp_ex ← Panel_W - 1
Disp_ey ← Panel_H - 1
Disp_W  ← Panel_W
Disp_H  ← Panel_H
そして、ステップＳ５９では、デジタル表示データａの非表示処理を行う。次に、ステップＳ６０では、映像データ合成処理を行う。この映像データ合成処理は図１３により後述する。
【００４２】
上記ステップＳ５５で、ＮＯと判断された場合は、ステップＳ６１に移行し、表示時間は終了したか否か判断する。つまり、Ctune-Stime>=Time[k]の処理を実施する。表示時間が終了した場合は、ステップＳ６２で、データ展開処理タスクｋを終了し、次のステップＳ６４で、次のデータをチェックし、カウンタｋをｋ＋１して、ステップＳ５５に戻る。ステップＳ６１において、表示時間が終了していない場合は、ステップＳ６３で、表示データ数カウントをｄｋ＝ｄｋ＋１の処理をして、ステップＳ６４に移行する。このようにして、データ展開メモリ２６９に展開されたｋ個のタスクを処理する。
【００４３】
図１３は、図１２のステップＳ５２およびステップＳ６０の映像データ合成処理の詳細フローチャートを示す。
ステップＳ７１では、放送映像メモリ２２３をクリアする。ステップＳ７２ではデータ展開メモリ２６９をクリアする。ステップＳ７３では、放送映像データを展開処理する。このステップＳ７３は、図１４により後述する。ステップＳ７４では、カウンタの初期化を行う。即ち、ｋ←１を行う。次にステップＳ７５では、カウンタｋがデータカウンタより大きいか判断する。小さければ（ＮＯ）、このフローは終了する。しかし、大きければ（ＹＥＳ）、ステップＳ７６で、データｋの展開処理タスクを行う。このステップＳ７６については図１５により後述する。ステップＳ７７では、次のデータをチェックする。即ち、ｋ＝ｋ＋１の処理を行い、ステップＳ７５に戻る。これにより、全てのタスクを展開処理する。
【００４４】
図１４は、図１３のステップＳ７３で行われる放送映像データの展開処理の詳細なフローチャートを示す。まず、ステップＳ８１で、チューナ２２１を初期化して、受信開始する。ステップＳ８２で、デコーダ２２２を初期化し、デジタル化を開始する。ステップＳ８３で、スケーラー２４１を初期化する。これにより、（１）放送映像のデータを画面の( Disp_sx , Disp_sy )、( Disp_ex , Disp_ey )に縮小、または拡大して表示するように設定する。（２）データ展開メモリ２６９のタスクを合成して表示するように設定する。
【００４５】
図１５は、図１３のステップＳ７６のデータｋの展開処理タスクの詳細なフローチャートを示す。まず、ステップＳ９１では、データ展開処理部２６１〜２６ｎ中のｋ番目のデータが格納されているタスクを読み込む処理を行う。次のステップＳ９２では、読み込んだデータを、データ展開メモリ２６９上の( Disp_sx[k] , Disp_sy[k] )、 ( Disp_ex[k] , Disp_ey[k] )の位置に展開する。次のステップＳ９３では、データは動画か判断する。動画でない場合（ＮＯ）はこのフローを終了する。動画の場合（ＹＥＳ）は、ステップＳ９４に進み、動画は終了したか判断する。終了していれば、このフローを終了する。終了していなければ、ステップＳ９５で、次のフレームをデータ表示メモリの( Disp_sx[k] , Disp_sy[k] )、 ( Disp_ex[k] , Disp_ey[k] )の位置に展開する。そして、ステップＳ９６で、次のタスクに切り換えを行い、ステップＳ９４に戻る。これにより、ｋ個のタスクが表示処理される。
【図面の簡単な説明】
【００４６】
【図１】本発明の表示装置のブロック図である。
【図２】本発明の表示装置によって表示される表示画面を説明する図である。
【図３】本発明の表示装置によって表示される別の表示画面を説明する図である。
【図４】本発明の表示装置によって合成映像データを生成する説明図である。
【図５】本発明の表示装置の合成映像データのデータフォーマット図である。
【図６】本発明の表示装置のデジタル表示データのデータフォーマット図である。
【図７】本発明の表示装置に使用される表示部の表示画面の構成部図である。
【図８】本発明の表示装置のデータ受信部がデジタル表示データを受信するときのフローチャートである。
【図９】本発明の表示装置のデータ解析処理部のフローチャートである。
【図１０】本発明の表示装置が属性判断する場合のフローチャートである。
【図１１】本発明の表示装置の映像データ合成処理部がリセット処理する場合のフローチャートである。
【図１２】本発明の表示装置が表示処理する場合のフローチャートである。
【図１３】本発明の表示装置が表示データ合成処理する場合のフローチャートである。
【図１４】本発明の表示装置が放送映像データを展開処理する場合のフローチャートである。
【図１５】本発明の表示装置がデータｋを展開処理タスクする場合のフローチャートである。
【符号の説明】
【００４７】
１００  データ配信送信装置
１０５  通信路
２００  データ配信取得装置
２１０  データ受信部
２２０  放送データ受信部
２３０  データ解析処理部
２３１  表示装置属性記憶部
２４０  映像データ合成処理部
２４１  スケーラー
２５０  表示部
２６０  受信データ保持メモリ
２６９  データ展開メモリ
【図１】
2010141579.tif 000003
【図２】
2010141579.tif 000004
【図３】
2010141579.tif 000005
【図４】
2010141579.tif 000006
【図５】
2010141579.tif 000007
【図６】
2010141579.tif 000008
【図７】
2010141579.tif 000009
【図８】
2010141579.tif 000010
【図９】
2010141579.tif 000011
【図１０】
2010141579.tif 000012
【図１１】
2010141579.tif 000013
【図１２】
2010141579.tif 000014
【図１３】
2010141579.tif 000015
【図１４】
2010141579.tif 000016
【図１５】
2010141579.tif 000017